(57)【要約】      （修正有）【課題】手が不自由な人や老人等の力の弱い人でも、内釜を釜本体から取り出したり、他の場所への持ち運び等の行為・動作を容易に行える、家庭用炊飯器の提供。【解決手段】開閉可能な蓋体２付きの本体１内に、それと一体的に設けた外釜４と、外釜４内へ収容・取出し可能な内釜５と、内蓋３下面外周寄りと内釜５の外周上部との間を封止する蓋パッキン６と、加熱手段とをもつ家庭用炊飯器において、内釜５の上部外周に形成した環状の鍔状部７上の対向位置に、鍔状部７とほぼ同じ曲率の半円弧状の持ち手部９を、使用時にほぼ半円弧状に立ち上げ可能で、不使用時に蓋パッキン６の封止機能を損なわず鍔状部７上へ折り畳み可能に、両側端の連結用部１１で取付ける。【選択図】図１
0003139489.tif 000002
【実用新案登録請求の範囲】
【請求項１】
開閉可能な蓋体２付きの本体１内に、それと一体的に設けた外釜４と、該外釜４内へ収容・取出し可能な内釜５と、上記蓋体２下面に設けた内蓋３の下面外周寄りと内釜５の外周上部との間を封止する蓋パッキン６と、加熱手段とをもつ家庭用炊飯器Ａにおいて、
上記内釜５の上部外周に形成した環状の鍔状部７上の対向位置に、該鍔状部７とほぼ同じ曲率の円弧状の持ち手部９を、使用時にほぼ半円弧状に立ち上げ可能で、不使用時に蓋パッキン６の封止機能を損なわず鍔状部７上へ折り畳み可能に両側端の連結用部１１を取付けたことを特徴とする、家庭用炊飯器。
【請求項２】
内釜５の上部外周に形成した環状の鍔状部７の上面に、横倒して折り畳み時の持ち手部９が係合可能な凹溝８を形成した、請求項１に記載の家庭用炊飯器。
【請求項３】
内釜５の環状鍔状部７上面の凹溝８の側壁８ａに取付け部としての小横孔１０を形成し、他方、持ち手部９の両側端を屈曲して短棒状の連結用部１１を形成して、該連結用部１１を上記小横孔１０へ係合させることで、持ち手部９を内釜５の鍔状部７に可回転に取り付けた、請求項１または２に記載の家庭用炊飯器。
【請求項４】
内釜５の環状鍔状部７上面の凹溝８で、横倒して折畳み時の持ち手部９両側の連結用部１１が対応する箇所に、該凹溝８の内・外側壁間を繋ぐ隔壁部８ｂを形成し、そこに取付け部としての横小孔１３を設け、他方、持ち手部９両側にリング状の連結用部１１を形成して、該連結用部１１を上記用小孔１３へ係合させることで、持ち手部９を内釜５の鍔状部７に可回転に取り付けた、請求項１または２に記載の家庭用炊飯器。
【請求項５】
内釜５の環状鍔状部７上面の凹溝８で、折畳んで折畳み時の持ち手部９両側の連結用部１１が対応する箇所に、上部がリング状をした金具の取付け部１０を装着し、他方、持ち手部９両側にリング状の連結用部１１を形成して、該連結用部１１を取付け部１０へ係合させることで、持ち手部９を内釜５の鍔状部７に可回転に取り付けた、請求項１または２に記載の家庭用炊飯器。
【請求項６】
内蓋３の下面外周寄りと内釜５の外周上部間を封止する蓋パッキン６を、鍔状部７上に鍔状部７上へ横倒して載置状態の持ち手部９へ圧接時に、封止機能が損なわれないだけの十分な柔軟性・弾力性のある構造・材質のものとした、請求項１に記載の家庭用炊飯器。
【考案の詳細な説明】
【技術分野】
【０００１】
本考案は、家庭用の電気炊飯器やガス炊飯器の内釜の改良に係るものであり、例えば手が不自由な人でも容易に内釜を取り出し、また持ち運び等の行為・動作を容易に行えるようにしたことを特徴とするものである。
【背景技術】
【０００２】
手に障害があって不自由な人や老人等で力の弱い人にとっては、例えば流し台上で米を研いだ後、内釜を炊飯器のある場所へ持ち運んだり、それを外釜内へ入れたり、炊いた後に内釜を外釜から取り出したり、それを食卓・ダイニングテーブル等へ持ち運んだり、さらに使用後の内釜を洗うために流し台へ持ち運んだりすることは、健常人には判り難い労苦を伴う動作である。
【０００３】
それでも、家族状況等によってはそれらの人が行わざるを得ない場合が少なくない。しかも炊飯器は、例えばすき焼き鍋等と異なり毎日使うものであり、場合によっては１日に朝・昼・晩の３回使うものだけにその負担も多い。
【０００４】
ところで、炊飯器の内釜の取り出しや持ち運びのために、従来は例えば次のような持ち手部を設けた炊飯器が考案されている。
【０００５】
ａ）内釜の上縁外周部の全周にわたり側方へ突出した鍔部（フランジ部）を持ち、その鍔部を手持ち部としたり、または上縁外周部の対向する２ヶ所に鍔部、即ち羽根状に側方へ突出させて、それを持ち手部とするもの。
【特許文献１】特開平８−４４４公報
【特許文献２】特開平１０−２３４５６８号公報
【特許文献３】特開平１０−５７２３８号公報
【特許文献４】特開２００５−１０７３０公報
【特許文献５】実用新案登録第３０６２８３８号公報
【０００６】
ｂ）内釜本体とは別体の運搬具（手持ち具）手持ち具を用意しておき、必要時に該運搬具を内釜の外周上縁部に掛け渡して係止可能とするもの。
【特許文献６】特開平１０−７１０７３公報
【特許文献７】特開平１０−２８６１７２公報
【０００７】
ｃ）おかゆ用容器の取り出し用であるが、内釜の上縁外周部の一部に孔を設けて、必要に応じてそこへスプーン差し入れて、該容器を引掛けて取り出せるようにしたもの。
【特許文献８】特開平８−４４４公報
【０００８】
ｄ）内釜の上縁外周部の対向する２ヶ所に持ち手部取付板を設けて、そこにほぼ山形状の太線の持ち手部を折たたみ可能に設けたもの。
【特許文献９】実公昭６３−４０１７３公報
【特許文献１０】実公昭６３−４０１７４公報
【考案の開示】
【考案が解決しようとする課題】
【０００９】
しかし、上記ａ）のものは、外周の鍔部または両側へ突き出た羽根状の持ち手部を、両手で掴んで内釜を取り出したり、持ち運びするこことになるので、上記のような手が不自由な人や老人等で力の弱い人にはやはり使用できないことが多かった。
【００１０】
また上記ｂ）のもの、別体の運搬具を必要時に内釜の外周上縁部に掛け渡して係止したり、それを取り外す行為・動作そのものが、手が不自由な人や老人等で力の弱い人にとっては容易でなく、やはり使い易いものではなかった。
【００１１】
上記ｃ）のものは、孔にスプーン差し入れて内釜を取り出せたとしても、スプーンで引掛けた状態は不安定なものであるから、別の場所への持ち運びは手の不自由な人や老人等で力の弱い人には無理であった。
【００１２】
そして上記ｄ）のものは、トレーラー等の荷台上に設置する野外飲食車用の炊飯器であり、大量の米飯を炊く場合に使用するものであるから、当然ながら内釜の取り出しや持ち運びのために手持ち部が必要である。
【００１３】
しかしそこに記載のものは、家庭用炊飯器とは異なり、軽量・コンパクト化や製造コスト等については考慮されておらず、本考案のような家庭用の炊飯器の考案に参考にならないし、また手が不自由な人や老人等の力の弱い人が使えるようには何らの配慮もされていないものであった。
【００１４】
本考案は、上記従来の家庭用炊飯器がもつ問題点の解消を課題としたものである。即ち本考案の目的は、炊飯時に十分な圧力が保持できて美味しいご飯が炊けることは勿論のこと、家庭用の炊飯器として軽量・コンパクト化や製造コストの低減を図りながら、手が不自由な人や老人等の力の弱い人でも、容易に内釜を取り出したり、他の場所への持ち運び等の行為・動作を容易に行えるようにした、家庭用炊飯器を提供することにある。
【課題を解決するための手段】
【００１５】
本考案に係る家庭用炊飯器は、
開閉可能な蓋体２付きの本体１内に、それと一体的に設けた外釜４と、該外釜４内へ収容・取出し可能な内釜５と、上記蓋体２下面に設けて内蓋３下面外周寄りと内釜５の外周上部との間を封止する蓋パッキン６と、加熱手段とをもつ家庭用炊飯器において、
上記内釜５の上部外周に形成した環状の鍔状部７上の対向位置に、該鍔状部７とほぼ同じ曲率の半円弧状の持ち手部９を、使用時にほぼ半円弧状に立ち上げ可能で、不使用時に蓋パッキン６の封止機能を損なわず鍔状部７上へ折り畳み可能に、両側端の連結用部１１で取付けたものである。
【００１６】
上記構成において、内釜５の外周上部に形成した環状の鍔状部７とは、内釜５の外周上端縁が外側方へ折り曲がって環状になったもの（例えば図１ないし図９参照）の他に、内釜５の外周上端縁の少し下で外方向へ環状に突出したもの（例えば図１０参照）のものを含む。
【００１７】
また上記で、蓋パッキン６による封止を損なわぬようにとは、持ち手部９の両側端の各取付け部１０や折り畳み状態時の持ち手部９が、鍔状部７の上面からできるだけ突出せぬように、例えば鍔状部７上面に凹溝８を形成し（例えば上記図１ないし図８参照）、あるいは／それに加えて、蓋パッキン６が持ち手部９や各取付け部１０上、さらには内釜５の上端縁へへ圧接時に受容可能な十分な柔軟性・弾力性を有して、蓋パッキン６による封止機能を損なわぬもの（例えば図９および図１０参照）を意味する。
【００１８】
なお、上記持ち手部９の本数は、２本を設けることが望ましいが（例えば上記図１ないし図３参照）、やや安定性を欠くが１本としてもよい。
【考案の効果】
【００１９】
上記本考案に係る家庭用炊飯器によれば、次のような効果を奏する。
イ）この家庭用炊飯器の内釜５を本体１の外釜４から取り出したり、持ち運んだりする場合には、蓋体２を開けた状態で、鍔状部７上に折り畳まれている持ち手部９を、例えば手の指や爪で引っ掛けて上方へ半円弧状に起こし、そこに片手のひらを通して持つようにすればよい。
【００２０】
この場合、２本の持ち手部９を有するものでは、２本の持ち手部９を半円弧状に起こして、そこに手のひらを通して握るようにすればよく（例えば上記図１および図３参照）、１本の場合よりも安定した状態で内釜５を持ち運べる。
【００２１】
そのため、例えば手が不自由な人や老人等の力の弱い人でも、内釜５を片手で本体１・外釜４から取り出したり、他の場所への持ち運ぶ等の行為・動作を容易に行えることになる。特に家族状況等によってそれらの人が上記行為・動作を行わざるを得ない場合に、非常に有用で喜んで貰える。
【００２２】
ロ）この炊飯器の内釜５では、例えば鍔状部７の上面からできるだけ突出しないようにし、あるいは／それに加えて、蓋パッキン６が受容可能な十分な柔軟性・弾力性を有するようにして、鍔状部７側の各取付け部１０や折り畳み状態の持ち手部９が、蓋パッキン６の封止機能を損なわぬようにしてある。
【００２３】
そのため、鍔状部７に持ち手部９を設けたものでありながら、該持ち手部９を鍔状部７上面に折り畳んだ状態でも、蓋パッキン６による封止状態は損なわれることがなく、内釜５内は必要で十分な圧力を維持できて、美味しいご飯を炊き上げることができるし、また吹きこぼれか生じることもない。
【００２４】
ハ）さらにこの炊飯器は上記の如く、内釜５の鍔状部７に炊飯時には折り畳んでおき、必要時に半円弧状に引き起こして手で持てる持ち手部９を設けたものであるが、シンプルな構成であるから、内釜５・炊飯器の軽量とコンパクト化を図ることが容易であり、かつ炊飯器を製造するメーカーならば製造もきわめて簡単であるから、コストも殆どアップすることなく、この炊飯器を提供することができる。
【考案を実施するための最良の形態】
【００２５】
上記構成で、内釜５の鍔状部７の対向位置に、持ち手部９の両側端の各取付け部１０を可回転に取り付けるものであるが、その各取付け部１０は内釜５とその内容物の重さに耐える十分な強度を有しながらも、コンパクトで目立たぬ構造にすることが望ましい。
【００２６】
蓋パッキン６は、鍔状部７上に折畳んだ状態の持ち手部９へ圧接時に隙間が生じないように、十分な柔軟性・弾力性のある構造・材質のものとしておく。なお、持ち手部９の本数は、内釜５を安定して提げられるように２本にしておくことが望ましいが、１本でもよい。
【実施例１】
【００２７】
図１ないし図５は、本考案に係る家庭用炊飯器の第１の実施例を示す。
図１において、１は上部開口の炊飯器本体を示し、その外周上部にヒンジで開閉可能に蓋体２を設けてあり、該蓋体２には下面に内蓋３を着脱可能を設けてある。
【００２８】
上記内蓋３の下面外周寄りには、後記内釜５の外周上部の鍔状部７との間を封止可能な蓋パッキン６を設けてあり、また蓋体２には、内釜５から外部へ通じる蒸気口１２を設けてある。
【００２９】
４は外釜を示し、上部が開口した形状で、上記炊飯器本体１内に一体的に設けてある。該外釜４の内下部や周部には内釜５を加熱する加熱手段（図示略）を設けてある。
【００３０】
上記内釜５は、上部開口がここでは内径約２２０ｍｍの大きさで、上記外釜４内へ収容・取出しが可能である。また内釜５の外周上端縁に外方へ約１０ｍｍ幅の環状の鍔状部７を形成して、内釜５を外釜４内へ収容時に該鍔状部７が上記外釜４の上部に載置されるようになっている。
【００３１】
９が持ち手部を示し、ここでは２本のほぼ半円弧状のものからなり、外径約２．５ｍｍの太めの針金を、上記内釜５の鍔状部７とほぼ等しい曲率で半円弧状にするとともに、その両側端部を内方へ短棒状に屈曲して、ここでは長さ約４ｍｍの連結用部１１を形状にしてある。
【００３２】
各持ち手部９の半円弧状部分の長さは、その２本を鍔状部７上に対向状（対称状）に載置した場合に、隣りの連結用部１１との間でここでは約６０ｍｍの間隔を生じる程度の長さとしてある。これは鍔状部７の全周の半分の長さよりも短いことである。
【００３３】
９は持ち手部係合用の凹溝を示しており、上記２本の持ち手部９を鍔状部７上へ横倒して載置した際に、蓋パッキン６による封止機能を損なわぬために、鍔状部７上への突き出しをできるだけ無くするものである。ここでは、鍔状部７上面に環状に周設してあり、その横幅が持ち手部９の断面の直径より少し大きめの約３ｍｍであり、深さもここでは約３ｍｍにしてある。なおこの凹溝８は、鍔状部７上で上記２本の持ち手部９が横倒する位置に、半円弧のものを間隔をおいて２本形成してもよい。
【００３４】
また持ち手部９は、炊飯時には横倒して鍔状部７上へ載置可能であり、かつ内釜５を取出しや持運びの際に半円弧状に起立可能に、ここでは両側の各連結用部１１を挿入可能とするため、上記凹溝８の内壁に取付け部としての横小孔１０を形成して、該各横小孔１０に該持ち手部の各連結用部１１を挿入することで、可回転に取り付けてある。
【実施例２】
【００３５】
図６は本考案に係る家庭用炊飯器の第２の実施例を示し、ここではその要部である持ち手部９を中心に説明する。
ここでの炊飯器や内釜５は上記実施例１で述べたものと同様で、全体外観の図示は省略するが、開閉可能な蓋体２付きの本体１内に、それと一体的に設けた外釜４と、該外釜４内へ収容・取出し可能な内釜５と、蓋体２下面に設けた内蓋３の下面外周寄りと内釜５の外周上部との間を封止する蓋パッキン６と、加熱手段（図示略）とを備えている。
【００３６】
ここでの内釜５も、外周上端縁に環状の鍔状部７を有し、該鍔状部７に太めの針金製の持ち手部９を２本設けてある。該２本の持ち手部９も、鍔状部７上へ横倒した際に対向状（対称状）に載置可能で、また立ち起こした際に各々が半円弧状になるように、可回転に取り付けある。
【００３７】
鍔状部７上面へ横倒した持ち手部９を係合可能な凹溝８を周設してあるが、ここでは該凹溝８内で各持ち手部９両側の各リング状連結用部１１と対応する箇所に、内・外側壁を繋ぐ隔壁部８ｃを形成して、そこに取付け部としての横小孔１０を形成し、上記持ち手部９の両側端に形成したリング状連結用部１１を係合させることで、持ち手部９を鍔状部７へ可回転に取り付けてある。
【００３８】
なお、ここでの凹溝８の深さは、連結用部１１の突出量を少なくするために、約５ｍｍにしてあるが、各持ち手部９の中央当たりを小さく湾曲して、立ち起こし時用の摘み部１３を形成してあるので、立ち起こし時は容易である。
【実施例３】
【００３９】
図７および図８は、本考案に係る家庭用炊飯器の第３の実施例を示し、ここではその要部である持ち手部９を中心に説明する。
炊飯器や内釜５はここでも上記実施例１で述べたものと同様で、全体外観の図示は省略するが、開閉可能な蓋体付きの本体１内に、それと一体的に設けた外釜４と、該外釜４内へ収容・取出し可能な内釜５と、内蓋３の下面外周寄りと内釜５の外周上部との間を封止する蓋パッキン６と、加熱手段（図示略）とを備えている。
【００４０】
ここでの内釜５も、外周上端縁に環状の鍔状部７を有し、該鍔状部７に太めの針金製の持ち手部９を２本設けてあり、内釜５の鍔状部７とほぼ等しい曲率の半円弧状で、ここではその各側端にリング状の連結用部１１に形成してある。
【００４１】
該２本の持ち手部９も、鍔状部７上へ横倒して対向状（対称状）に載置可能で、立ち起こして半円弧状になるように、可回転に取り付けある。ここでも、鍔状部７上面に横倒した持ち手部９を係合可能に凹溝８を周設すると共に、該凹溝８内で上記各持ち手部９両側の各リング状連結用部１１と対応する位置に、上部がリング状をした金具の取付け部１０を、下端部を鍔状部７下面でかしめて取り付け、そこに各リング状連結用部１１を係合させることで、持ち手部９を鍔状部７に可回転に取り付けてある。
【００４２】
なお、ここでの凹溝８の深さも、連結用部１１の突出量を少なくするために、約５ｍｍにしてあるが、各持ち手部９の中央当たりを小さく湾曲して、立ち起こし時用の摘み部１３を形成してあるので、立ち起こし時は容易である。
【実施例４】
【００４３】
図９は本考案に係る家庭用炊飯器の第４の実施例を示すもので、その要点である持ち手部９を中心に説明する。
炊飯器や内釜５はここでも上記実施例１で述べたものと同様で、全体外観の図示は省略するが、開閉可能な蓋体２付きの本体１内に、それと一体的に設けた外釜４と、該外釜４内へ収容・取出し可能な内釜５と、内蓋３の下面外周寄りと内釜５の外周上部との間を封止する蓋パッキン６と、加熱手段（図示略）とを備えたものである。
【００４４】
またここでの内釜５も、外周上端縁に環状の鍔状部７を有し、該鍔状部７に太めの針金製の持ち手部９を２本設けてあり、内釜５の鍔状部７とほぼ等しい曲率の半円弧状で、ここではその各側端にリング状の連結用部１１を形成してある。
【００４５】
該２本の持ち手部９も、鍔状部７上へ横倒して対向状（対称状）に載置可能で、かつ立ち起こした際に半円弧状になるように可回転に取り付けある。鍔状部７上面に横倒した状態時の持ち手部９の両側の各リング状連結用部１１と対応する位置に、上部がリングをした金具の取付け部１０を、下端部を鍔状部７下面でかしめて各々取り付け、そこに各持ち手部９の各リング状連結用部１１を係合させることで、可回転に取り付けてある。
【００４６】
ここでは、鍔状部７上面に凹溝を形成しておらず、鍔状部７上に折畳んだ状態の持ち手部９へ圧接時に隙間が生じないように、蓋パッキン６を十分な柔軟性・弾力性のある構造・材質のものとしてあり、ここではシリコンゴム製で特に十分な柔軟性・弾力性を有するものを用いている。
【実施例５】
【００４７】
図１０は、本考案に係る家庭用炊飯器の第５の実施例を示し、ここではその要点である持ち手部９を中心に説明する。
炊飯器や内釜５はここでも上記実施例１で述べたものと同様で、全体外観の図示は省略するが、開閉可能な蓋体２付きの本体内１に、それと一体的に設けた外釜と、該外釜内へ収容・取出し可能な内釜５と、上記蓋体下面に設けた内蓋３の下面外周寄りと内釜５の外周上部との間を封止する蓋パッキン６と、加熱手段（図示略）とを備えている。
【００４８】
ここでの内釜５の鍔状部７は、外周上端縁ではなくてやや下がった上部寄り外周に、約１０ｍｍ幅の環状に形成してあり、該鍔状部７の上縁部に蓋パッキン６が封止状に圧接するが、その鍔状部７にここでも持ち手部９を設けてある。
【００４９】
ここでの持ち手部９も、太めの針金製のものを２本設けてあり、内釜５の鍔状部７とほぼ等しい曲率の半円弧状で、その両側端にリング状の連結用部１１に形成してある。
【００５０】
該２本の持ち手部９も、鍔状部７上に横倒して対向状（対称状）に載置可能で、かつ立ち起こした際に各々半円弧状になるように取り付けある。即ち、鍔状部７上に載置した各持ち手部９両側の各リング状連結用部１１と対応する位置に、上部がリング状をした金具の取付け部１０を、下端部を鍔状部７下面でかしめて取り付け、そこにリング状連結用部１１を係合させることで、可回転に取り付けてある。
【実施例６】
【００５１】
図１１は本考案に係る家庭用炊飯器の第６の実施例を示すが、ここでの内釜５は上端縁より少し下方の内周に鍔状部７を形成したものであり、該鍔状部７の上面にここでも２本のほぼ半円弧状の持ち手部９を載置かつ立ち起こし可能に設けてある。
【００５２】
即ち、この持ち手部９も太めの針金を鍔状部７とほぼ等しい曲率で半円弧状にして、その両側端部を外方へ短棒状に屈曲して連結用部１１を形成するとともに、他方鍔状部７上面に形成した持ち手部係合用凹溝８の外壁に、取付け部としての横小孔１０を設けて、該横小孔１０に短棒状連結用部１１を挿入することで、持ち手部９を鍔状部７上への載置と立ち起こしを可能としてある。
【００５３】
なお、上記のいずれの実施例も、持ち手部９の取付け構造の例を示すもので、これらに限定するものではない。各持ち手部９にはその中央近傍を小さく湾曲して、立ち起こし時用の摘み部１３を形成してあるが、手が熱くないように、嵩張らぬ程度の厚みで耐熱性のパイプ（図示略）を套装しておくのがよい。
【図面の簡単な説明】
【００５４】
【図１】本考案に係る家庭用炊飯器の第１の実施例を示すもので、蓋体を開けて内釜を取り出し時の全体斜視図である。
【図２】図１で示したもので用いた内釜を示す全体斜視図である。
【図３】図２で示した内釜を持ち運び時の全体斜視図である。
【図４】図１ないし図３で示したものの持ち手部の取付け状態を示す縦断側面図である。
【図５】図１ないし図３で示したもの持ち手部の中央部分を示す縦断正面図である。
【図６】本考案に係る家庭用炊飯器の第２の実施例における持ち手部の取付け構造を示す縦断斜視図である。
【図７】本考案に係る家庭用炊飯器の第３の実施例における持ち手部の取付け構造を示す縦断斜視図である。
【図８】図７で示したものの縦断正面図である。
【図９】本考案に係る家庭用炊飯器の第４の実施例における持ち手部の取付け構造を示す縦断側面図である。
【図１０】本考案に係る家庭用炊飯器の第５の実施例における持ち手部の取付け構造を示す縦断正面図である。
【図１１】本考案に係る家庭用炊飯器の第６の実施例における持ち手部の取付け構造を示す縦断斜視図である。
【符号の説明】
【００５５】
１−本体
２−蓋体
３−内蓋
４−外釜
５−内釜
６−蓋パッキン
７−鍔状部
８−凹溝
８ａ−側壁
８ｂ−隔壁部
９−持ち手部
１０−取付け部
１１−連結用部
１２−蒸気口
１３−摘み部
【図１】
0003139489.tif 000003
【図２】
0003139489.tif 000004
【図３】
0003139489.tif 000005
【図４】
0003139489.tif 000006
【図５】
0003139489.tif 000007
【図６】
0003139489.tif 000008
【図７】
0003139489.tif 000009
【図８】
0003139489.tif 000010
【図９】
0003139489.tif 000011
【図１０】
0003139489.tif 000012
【図１１】
0003139489.tif 000013